(57)【要約】【課題】照明器具全体として光出力を変化させて、使用者に必要な照度を与えつつ、検知情報を使用者に知らせることができる照明装置を提供することにある。【解決手段】検知ユニットより検知信号を出力することにより、リモコン送信機、リモコン受光部を介して少なくとも一つ以上の制御回路に検知状態を伝達し、この制御回路からの制御信号によって、放電灯点灯回路を介して少なくとも１つ以上のランプの点灯状態が変化することにより、照明器具全体として、光出力を変化させることにより、使用者に検知ユニットが任意の情報を検知したことを知らせる。【選択図】　　図１
2004103424.tif 000002
【特許請求の範囲】
【請求項１】
照明器具本体、この照明器具本体に取り付けられた少なくとも一つ以上のランプ、このランプを点灯させる少なくとも一つ以上の点灯回路、前記ランプの点灯状態を切り替えるための切替信号を出力する少なくとも一つ以上の制御回路、および、前記切替信号を受信するリモコン受光部から構成される照明器具と、任意の情報を検知情報として検知し検知信号を出力する検知ユニットと、前記検知情報を入力し、ランプの点灯状態を切り替えるリモコンユニットを具備する照明装置において、
前記検知ユニットより検知信号を出力することにより、リモコン送信機、リモコン受光部を介して少なくとも一つ以上の制御回路に検知状態を伝達し、この制御回路からの制御信号によって、放電灯点灯回路を介して少なくとも１つ以上のランプの点灯状態が変化することにより、前記照明器具全体として、光出力を変化させることにより、使用者に検知ユニットが任意の情報を検知したことを知らせることを特徴とする照明装置。
【請求項２】
前記検知ユニットから出力させる検知信号により、少なくとも一つ以上のランプの点灯状態を、点灯、消灯の切り替え状態とすることにより、前記照明器具全体として、点灯、調光モードの繰り返しを行うことにより、使用者に検知ユニットが任意の情報を検知したことを知らせることを特徴とする請求項１記載の照明装置。
【請求項３】
前記検知ユニットから出力させる検知信号により、少なくとも一つ以上のランプの点灯状態を、点灯、調光の切り替え状態とすることにより、前記照明器具全体として、点灯、調光モードの繰り返しを行うことにより、使用者に検知ユニットが任意の情報を検知したことを知らせることを特徴とする請求項１記載の照明装置。
【請求項４】
前記検知ユニットから出力させる検知信号により、全てのランプの点灯状態を、点灯、調光の切り替え状態とすることにより、使用者に検知ユニットが任意の情報を検知したことを知らせることを特徴とする請求項１記載の照明装置。
【請求項５】
前記少なくとも２つ以上検知ユニットを有し、前記複数の検知ユニットにより出力される複数の検知信号により、少なくとも一つ以上のランプの点灯、調光モードを繰り返し行う照明装置において、各々の検出信号により調光動作する放電灯点灯装置の調光レベルを切り替えることにより、使用者に検出した情報を特定可能とすることを特徴とする請求項１記載の照明装置。
【請求項６】
前記各々の検知信号により、調光時の調光レベルを変化させる制御方法として、調光動作させる点灯回路の数を変化させることを特徴とする請求項５記載の照明装置。
【請求項７】
前記各々の検知ユニットにより出力される複数の検知信号により、少なくとも一つ以上のランプの点灯／調光モードを繰り返し行う照明装置において、前記ランプの点灯、調光の繰り返し周期を変化させることにより、使用者に検出した情報を特定可能とすることを特徴とする請求項５記載の照明装置。
【請求項８】
前記各々の検知ユニットにより出力される複数の検知信号により、少なくとも一つ以上のランプの点灯／調光モードを繰り返し行う照明装置において、前記ランプの点灯、調光の繰り返し回数を変化させることにより、使用者に検出した情報を特定可能とすることを特徴とする請求項５記載の照明装置。
【請求項９】
色温度の異なる複数のランプを具備する照明装置において、複数の検知ユニットにより出力される複数の検知信号により、各々の検知信号から色温度の異なるランプの点灯、調光モードを繰り返し行うことにより、使用者に検出した情報を特定可能とすることを特徴とする請求項５記載の照明装置。
【請求項１０】
ランプ出力定格の異なる複数のランプを具備する照明装置において、複数の検知ユニットにより出力される複数の検知信号により、各々の検知信号からランプ出力の異なるランプの点灯、調光モードを繰り返し行うことにより、使用者に検出した情報を特定可能とすることを特徴とする請求項５記載の照明装置。
【請求項１１】
前記点灯、調光点灯するランプは、前記照明器具の外側のランプを積極的に使用するものであることを特徴とする請求項１ないし請求項１０いずれか記載の照明装置。
【請求項１２】
人間工学的に入眠、リラックスなどを可能とする照明制御プログラム信号データにより照明器具の光出力を制御している期間、検知ユニットからの信号が入力された場合に、優先的に光出力を変化させることを特徴とする請求項１ないし請求項１０いずれか記載の照明装置。
【請求項１３】
前記検知ユニットは、人の有無を検知して検知信号を出力する人感センサであることを特徴とする請求項１ないし請求項１２いずれか記載の照明装置。
【請求項１４】
前記検知ユニットは、訪問者が来たことを知らせるユニットであり、来客時に検知信号を出力することを特徴とする請求項１ないし請求項１２いずれか記載の照明装置。
【請求項１５】
前記検知ユニットは、ある一定の熱量以上になると検知して検知信号を出力する熱感センサであることを特徴とする請求項１ないし請求項１２いずれか記載の照明装置。
【請求項１６】
前記検知ユニットは、所定時刻に到達したことを検知して検知信号を出力するタイマ装置であることを特徴とする請求項１ないし請求項１２いずれか記載の照明装置。
【請求項１７】
前記検知ユニットは、電話がかかってきたことを検知して検知信号を出力する電話検知センサであることを特徴とする請求項１ないし請求項１２いずれか記載の照明装置。
【請求項１８】
前記検知ユニットは、防犯情報を検知して検知信号を出力する防犯センサであることを特徴とする請求項１ないし請求項１２いずれか記載の照明装置。
【発明の詳細な説明】
【０００１】
【発明の属する技術分野】
本発明は、照明装置に関し、具体的には、検知ユニットからの検知情報を照明器具の光変化させることにより、使用者に知らせる照明装置に関するものである。
【０００２】
【従来の技術】
従来の照明装置としては、下記の特許文献１に参照されるようなものが考えられていたが、もっと具体的な従来の照明装置としては、例えば、図１３に示すごとく、リモコン受光部（１）、制御回路（２）、放電灯点灯回路（３）、放電灯ランプ（４）により構成する照明器具本体部（１０）と、リモコン送信部（１１）、人感センサ（１２）から構成するリモコン送信機（１３）とからなっていたものが考えられていた。
【０００３】
この種の照明装置の簡単な動作を図１４により説明する。時刻ｔ１にて、人感センサ（１２）により人を検知すると、同図１４のｂ）により、センサ信号がハイとなり、リモコン送信部（１１）に出力する。そして、このリモコン送信部（１１）より、リモコン受光部（１）に同図１４のｃ）に示すごとき点灯信号を送信する。
【０００４】
次に、リモコン受光部（１）より、制御回路（２）にＯＮ信号を出力し、チョッパー回路を制御する制御信号Ｓ１と、インバータ回路を制御する制御信号Ｓ２、Ｓ３を出力する。
【０００５】
なお、Ｓ２とＳ３は交互にＯＮ／ＯＦＦ動作し、スイッチング素子が同時オンさせないようにデットタイム（時刻ｔ３〜ｔ４、時刻ｔ５〜ｔ６）を設ける。
【０００６】
これらの動作により、放電灯点灯回路（３）にて放電灯ランプ（４）を点灯させる。
【０００７】
また、時刻ｔ２にて、人感センサ（１２）により、人を検知の検知を停止すると、図１４のｂ）のようにセンサ信号がローとなる。そして、リモコン送信部（１１）よりリモコン受光部（１）に図１４のｃ）のように消灯信号を送信する。
【０００８】
次に、リモコン受光部（１）より、制御回路（２）にＯＦＦ信号を出力し、制御回路（２）を停止し、放電灯点灯回路（３）にて放電灯ランプ（４）を消灯するものである。
【０００９】
本従来例は、リモコン送信部（１１）と人感センサ（１２）は一体となっており、部屋の中での人の有無、部屋への入室、退出の状態により放電灯ランプ（４）を点灯、消灯するものである。
【００１０】
また、リモコン送信部（１１）への入力検知信号は一つであり、点灯状態は、点灯、消灯モードである。
【００１１】
【特許文献１】
特開平１０−１５４５８５号公報
【００１２】
【発明が解決しようとする課題】
しかしながら、このような従来の照明装置においては、リモコン送信部（１１）と人感センサ（１２）は一体となっているために、人感センサ（１２）は、リモコン送信機（１３）の位置に従属してしまい、使用者としては、自分の位置情報のみによる照明器具の動作を提供される機能であった。したがって、リモコンと離れた場所での人を検知することはできなかった。
【００１３】
また、様々な複数の検知ユニットによる検知情報としては、使用者の必要な照度を確保しつつ、簡単な方法で使用者に対して正確に知らせることは困難であった。
【００１４】
本発明は、上述の事実に鑑みてなされたものであって、その目的とするところは、照明器具全体として光出力を変化させて、使用者に必要な照度を与えつつ、検知情報を使用者に知らせることができる照明装置を提供することにある。
【００１５】
【課題を解決するための手段】
本発明の請求項１に係る照明装置は、照明器具本体、この照明器具本体に取り付けられた少なくとも一つ以上のランプ、このランプを点灯させる少なくとも一つ以上の点灯回路、前記ランプの点灯状態を切り替えるための切替信号を出力する少なくとも一つ以上の制御回路、および、前記切替信号を受信するリモコン受光部から構成される照明器具と、任意の情報を検知情報として検知し検知信号を出力する検知ユニットと、前記検知情報を入力し、ランプの点灯状態を切り替えるリモコンユニットを具備する照明装置において、前記検知ユニットより検知信号を出力することにより、リモコン送信機、リモコン受光部を介して少なくとも一つ以上の制御回路に検知状態を伝達し、この制御回路からの制御信号によって、放電灯点灯回路を介して少なくとも１つ以上のランプの点灯状態が変化することにより、前記照明器具全体として、光出力を変化させることにより、使用者に検知ユニットが任意の情報を検知したことを知らせることを特徴とする。
【００１６】
この請求項１に係る発明においては、検知ユニットより検知した情報をもとに使用者が使用している複数灯用の照明器具の放電灯ランプのうち、少なくとも一つの放電灯ランプの光出力変化させることにより、照明器具全体として光出力を変化させ、使用者に必要な照度を与えつつ、検知情報を使用者に知らせるものである。
【００１７】
本発明の請求項２に係る照明装置は、前記検知ユニットから出力させる検知信号により、少なくとも一つ以上のランプの点灯状態を、点灯、消灯の切り替え状態とすることにより、前記照明器具全体として、点灯、調光モードの繰り返しを行うことにより、使用者に検知ユニットが任意の情報を検知したことを知らせることを特徴とする。
【００１８】
この請求項２に係る発明においては、検知ユニットより検知した情報をもとに使用者が使用している複数灯用の照明器具の放電灯ランプのうち、少なくとも一つの放電灯ランプの光出力を明滅の繰り返し動作をさせ、照明器具全体として点灯、調光動作にさせることにより、使用者に必要な照度を与えつつ、検知情報を使用者に知らせるものである。
【００１９】
本発明の請求項３に係る照明装置は、前記検知ユニットから出力させる検知信号により、少なくとも一つ以上のランプの点灯状態を、点灯、調光の切り替え状態とすることにより、前記照明器具全体として、点灯、調光モードの繰り返しを行うことにより、使用者に検知ユニットが任意の情報を検知したことを知らせることを特徴とする。
【００２０】
この請求項３に係る発明においては、検知ユニットより検知した情報をもとに使用者が使用している複数灯用の照明器具の放電灯ランプのうち、少なくとも一つの放電灯ランプの光出力を点灯、調光の繰り返し動作をさせ、照明器具全体として点灯、調光動作にさせることにより、使用者に必要な照度を与えつつ、検知情報を使用者に知らせるものである。放電灯は、点灯、調光の繰り返し動作であるため、ランプに対するストレスを低減可能とするものである。
【００２１】
本発明の請求項４に係る照明装置は、前記検知ユニットから出力させる検知信号により、全てのランプの点灯状態を、点灯、調光の切り替え状態とすることにより、使用者に検知ユニットが任意の情報を検知したことを知らせることを特徴とする。
【００２２】
この請求項４に係る発明においては、検知ユニットより検知した情報をもとに使用者が使用している複数灯用の照明器具の全放電灯ランプの光出力を点灯、調光の繰り返し動作をさせ、照明器具全体として点灯、調光動作にさせることにより、使用者に必要な照度を与えつつ、検知情報を使用者に知らせるものである。調光レベルは、全体的に低くすることは容易であり、使用者にとって点灯、調光の繰り返し操作を容易に認識可能とするものである。
【００２３】
本発明の請求項５に係る照明装置は、前記少なくとも２つ以上検知ユニットを有し、前記複数の検知ユニットにより出力される複数の検知信号により、少なくとも一つ以上のランプの点灯、調光モードを繰り返し行う照明装置において、各々の検出信号により調光動作する放電灯点灯装置の調光レベルを切り替えることにより、使用者に検出した情報を特定可能とすることを特徴とする。
【００２４】
この請求項５に係る発明においては、複数の検知ユニットによる情報を、ランプの点灯、調光モードを繰り返し行う照明装置において、調光時の調光レベルを切り替えることにより、一つの照明器具で使用者に検出した情報を特定することを可能とするものである。
【００２５】
本発明の請求項６に係る照明装置は、前記各々の検知信号により、調光時の調光レベルを変化させる制御方法として、調光動作させる点灯回路の数を変化させることを特徴とする。
【００２６】
この請求項６に係る発明においては、複数の検知ユニットによる情報を、ランプの点灯、調光モードを繰り返し行う照明装置において、調光動作させる点灯回路の数を変化させることにより、使用者は調光レベル、および、点灯、調光モードを行っているランプの位置により、情報の種類の特定でき、より一層情報の確定がしやすくなることを可能とするものである。
【００２７】
本発明の請求項７に係る照明装置は、前記各々の検知ユニットにより出力される複数の検知信号により、少なくとも一つ以上のランプの点灯／調光モードを繰り返し行う照明装置において、前記ランプの点灯、調光の繰り返し周期を変化させることにより、使用者に検出した情報を特定可能とすることを特徴とする。
【００２８】
この請求項７に係る発明においては、複数の検知ユニットによる情報を、ランプの点灯、調光モードを繰り返し行う照明装置において、ランプの点灯、調光の繰り返し周期を変化させることにより、使用者に検出した情報の特定を可能とするものである。
【００２９】
本発明の請求項８に係る照明装置は、前記各々の検知ユニットにより出力される複数の検知信号により、少なくとも一つ以上のランプの点灯／調光モードを繰り返し行う照明装置において、前記ランプの点灯、調光の繰り返し回数を変化させることにより、使用者に検出した情報を特定可能とすることを特徴とする。
【００３０】
この請求項８に係る発明においては、複数の検知ユニットによる情報を、ランプの点灯、調光モードを繰り返し行う照明装置において、ランプの点灯、調光の繰り返し回数を変化させることにより、使用者に検出した情報の特定を可能とするものである。
【００３１】
本発明の請求項９に係る照明装置は、色温度の異なる複数のランプを具備する照明装置において、複数の検知ユニットにより出力される複数の検知信号により、各々の検知信号から色温度の異なるランプの点灯、調光モードを繰り返し行うことにより、使用者に検出した情報を特定可能とすることを特徴とする。
【００３２】
この請求項９に係る発明においては、複数の検知ユニットによる情報を、色温度の異なる複数のランプを有する照明装置において、各検知信号により、各々の検知信号から色温度の異なるランプの点灯、調光モードを繰り返し行うことにより、使用者に検出した情報を特定可能とするものである。
【００３３】
本発明の請求項１０に係る照明装置は、ランプ出力定格の異なる複数のランプを具備する照明装置において、複数の検知ユニットにより出力される複数の検知信号により、各々の検知信号からランプ出力の異なるランプの点灯、調光モードを繰り返し行うことにより、使用者に検出した情報を特定可能とすることを特徴とする。
【００３４】
この請求項１０に係る発明においては、ランプの出力定格の異なる複数のランプを有する照明装置において、各検知ユニットにより出力される複数の検知信号により、各々の検知信号からランプ出力の異なるランプの点灯、調光モードを繰り返し行うことにより、使用者に検出した情報を特定可能とするものである。
【００３５】
本発明の請求項１１に係る照明装置は、前記点灯、調光点灯するランプは、前記照明器具の外側のランプを積極的に使用するものであることを特徴とする。
【００３６】
この請求項１１に係る発明においては、検知信号によって点灯、調光モードを繰り返し行うランプを照明器具中心より外側のランプを使用することにより、照明器具の下側にいる使用者の周辺での照度の確保を可能とするものである。
【００３７】
本発明の請求項１２に係る照明装置は、人間工学的に入眠、リラックスなどを可能とする照明制御プログラム信号データにより照明器具の光出力を制御している期間、検知ユニットからの信号が入力された場合に、優先的に光出力を変化させることを特徴とする。
【００３８】
この請求項１２に係る発明においては、人間工学的に快起、入眠、リラックスなどを可能とする照明制御プログラム信号データにより照明器具の光出力を制御している期間、検知ユニットからの信号が入力された場合に、優先的に光出力を変化させることにより、情報を優先的に使用者に提供することを可能とするものである。
【００３９】
本発明の請求項１３に係る照明装置は、前記検知ユニットは、人の有無を検知して検知信号を出力する人感センサであることを特徴とする。
【００４０】
本発明の請求項１４に係る照明装置は、前記検知ユニットは、訪問者が来たことを知らせるユニットであり、来客時に検知信号を出力することを特徴とする。
【００４１】
本発明の請求項１５に係る照明装置は、前記検知ユニットは、ある一定の熱量以上になると検知して検知信号を出力する熱感センサであることを特徴とする。
【００４２】
本発明の請求項１６に係る照明装置は、前記検知ユニットは、所定時刻に到達したことを検知して検知信号を出力するタイマ装置であることを特徴とする。
【００４３】
本発明の請求項１７に係る照明装置は、前記検知ユニットは、電話がかかってきたことを検知して検知信号を出力する電話検知センサであることを特徴とする。
【００４４】
本発明の請求項１８に係る照明装置は、前記検知ユニットは、防犯情報を検知して検知信号を出力する防犯センサであることを特徴とする。
【００４５】
【発明の実施の形態】
以下、本発明の実施の形態を図面を参照しながら詳しく説明する。
【００４６】
（実施形態１）
図１により、本発明の一実施形態としての各回路構成部位を示す。この図１は、本発明の実施形態１に係る照明装置のシステム構成図である。
【００４７】
本実施形態は、外部の情報を検知する検知ユニット（５）と、この検知ユニット（５）から出力される検知信号により照明器具の点灯状態を変化させるリモコン信号を出力するリモコン送信部（１１）と、前記受信したリモコン信号により複数の制御回路に調光信号を出力するリモコン受光部（１）と、各調光信号によって放電灯点灯装置を制御する制御信号を出力する複数の制御回路（２）と、各制御信号より各ランプを点灯する複数の放電灯点灯回路（３）と放電灯ランプ（４）を有しているものである。
【００４８】
次に、図２により動作説明を行う。本回路動作説明において、ランプ１、２を具備する２灯用照明器具として説明を行う。時刻ｔ１以前、ランプ１、２は点灯状態である。時刻ｔ１で、検知ユニット（５）より図２のｂ）に示すごとき検知信号が出力されると、リモコン送信部（１１）の入力端子により検知信号を入力されるものである。これにより、リモコン送信部（１１）からリモコン受光部（１）へ図２のｃ）に示すごときリモコン信号が送信される。このリモコン受信部に入力したリモコン信号により、各設定された図２のｄ）およびｆ）に示すごとき調光信号１、２を出力するものである。このとき、図２のｄ）より調光信号１のデューティーは０％となりランプ１は消灯し、調光信号２は変化することなく、ランプ２は点灯を維持しているものである。
【００４９】
次に、時刻ｔ２より、ある一定の時刻になると、リモコン受光部（１）より図２のｄ）、ｆ）に示す調光信号１、２を出力し、ランプ１、２を点灯するものである。
【００５０】
そして、時刻ｔ３で時刻ｔ１と同様の動作となるものである。これら一連の動作を繰り返し、時刻ｔ６において、検知ユニット（５）から検知信号がオフとなり、リモコン送信部（１１）よりリモコン受信部に検知を終了したという信号を出力する。これより、リモコン受光部（１）より出力する調光信号１，２を出力し、ランプ１，２は点灯状態に復帰する。（図２ｅ、ｇ）
これらの動作より、検知ユニット（５）が情報を検知している期間、ランプ１は点灯、消灯状態を繰り返すが、ランプ２は点灯し続けているために、照明器具全体では、図２のｈ）に示すように、全灯、調光の繰り返し制御となっているものである。
【００５１】
これらの回路動作により、検知ユニット（５）がある情報を検知している期間、この検知ユニット（５）の情報を伝達可能な照明器具を有する使用者は、十分な照度を保ちつつ、その検知情報を感知することを可能とするものである。
【００５２】
また、本実施形態における検知ユニット（５）は、人の有無を検知して検知信号を出力する人感センサ、訪問者が来たことを知らせるユニット、ある一定の熱量以上になると検知して検知信号を出力する熱感センサ、所定時刻に到達したことを検知して検知信号を出力するタイマ装置、電話がかかってきたことを検知するユニット、防犯情報をを検知する防犯ユニットである。
【００５３】
各検知ユニット（５）より検知信号を出力する端子を設け、その端子よりリモコン送信部（１１）の入力端子に接続し、検知信号をリモコン送信部（１１）に出力すること可能とする検知ユニット（５）である。
【００５４】
（実施形態２）
本発明の一実施形態としての各回路構成は、図１に示す実施形態１と同様であり、構成部位の説明は省略する。
【００５５】
次に、図２、３により動作説明を行う。本回路動作は、基本的には図２に示す実施形態１の回路動作と同様である。よって、異なる回路動作を中心に説明する。
【００５６】
時刻ｔ１で、検知ユニットより図２のｂ）に示すごとき検知信号が出力されると、リモコン送信部（１１）の入力端子により検知信号を入力されるものである。これにより、リモコン送信部（１１）からリモコン受光部（１）へ図２のｃ）に示すごときリモコン信号が送信されるものである。このリモコン受信部に入力したリモコン信号により、設定された図３のａ）に示すごとき調光信号１を出力するものである。このとき、図３のａ）より調光信号１のデューティーは、時刻ｔ１以前のデューティーに対して変化させるものである。これにより、ランプ１を図３のｂ）に示すごとき調光点灯させるものである。一方、調光信号２は実施形態１と同様に変化することなく、ランプ２は点灯を維持しているものである。
【００５７】
次に、時刻ｔ２より、ある一定の時刻になると、リモコン受光部（１）より図２のｆ）、図３のａ）に示すごとき調光信号を出力し、ランプ１、２を図２のｇ）および図３のｂ）に示すごとき点灯するものである。
【００５８】
そして、時刻ｔ３で時刻ｔ１と同様の動作となる。これら一連の動作を繰り返し、時刻ｔ６において、検知ユニット（５）から検知信号がオフとなり、検知信号オフ信号がリモコン送信部（１１）に入力され、リモコン受信部に検知を終了したという信号を出力するものである。これにより、リモコン受光部（１）より出力する調光信号１、２を出力し、ランプ１、２は図２のｇ）および図３のｂ）に示すごとき点灯状態に復帰するものである。
【００５９】
これらの動作より、検知ユニット（５）が情報を検知している期間、ランプ１は点灯、調光状態を繰り返すが、ランプ２は点灯し続けているものである。照明器具全体においても、図２のｈ）に示すように、全灯、調光の繰り返し制御となっているものである。
【００６０】
これらの回路動作により、検知ユニット（５）がある情報を検知している期間、この検知ユニット（５）の情報を伝達可能な照明器具を有する使用者は、十分な照度を保ちつつ、その検知情報を感知することを可能とするものである。放電灯１は、点灯、調光の繰り返し動作であるため、ランプに対するストレスを低減可能となり、短寿命とならないものである。
【００６１】
（実施形態３）
本発明の一実施形態としての各回路構成は、図１に示す実施形態１と同様であり構成部位の説明は省略する。
【００６２】
次に、図２、４により動作説明を行う。本回路動作は、基本的には図２に示す実施形態１の回路動作と同様である。よって、異なる回路動作を中心に説明する。
【００６３】
時刻ｔ１で、検知ユニット（５）より図２のｂ）に示すごとき検知信号が出力されると、リモコン送信部（１１）の入力端子により検知信号を入力されるものである。これにより、リモコン送信部（１１）からリモコン受光部（１）へ図２のｃ）に示すごときリモコン信号が送信されるものである。このリモコン受信部に入力したリモコン信号により、設定された図４のａ）に示すごとき調光信号１、２を出力するものである。このとき、調光信号１、２のデューティーは、時刻ｔ１以前のデューティーに対して変化させるものである。これにより、ランプ１、２を図４のｂ）に示すごとき調光点灯させるものである。
【００６４】
次に、時刻ｔ２より、ある一定の時刻になると、リモコン受光部（１）より図４のａ）に示す調光信号１、２を出力し、ランプ１、２を図４のｂ）に示すごとき点灯するものである。
【００６５】
そして、時刻ｔ３で時刻ｔ１と同様の動作となる。これら一連の動作を繰り返し、時刻ｔ６において、検知ユニット（５）から検知信号がオフとなり、検知信号オフ信号がリモコン送信部（１１）に入力され、リモコン受信部に検知を終了したという信号を出力するものである。これにより、リモコン受光部（１）より出力する調光信号１、２を出力し、ランプ１、２は図４のｂ）に示すごとき点灯状態に復帰するものである。
【００６６】
これらの動作より、検知ユニット（５）が情報を検知している期間、図４のｃ）に示すように、全てのランプが全灯、調光の繰り返し制御となっているものである。
【００６７】
これらの回路動作により、検知ユニット（５）がある情報を検知している期間、この検知ユニット（５）の情報を伝達可能な照明器具を有する使用者は、十分な照度を保ちつつ、その検知情報を感知することを可能とするものである。放電灯は、点灯、調光の繰り返し動作であるため、ランプに対するストレスが低減可能となり、短寿命とならない。また、調光レベルは器具全体として低くすることは容易であり、使用者にとって点灯、調光の繰り返し操作を容易に認識可能とするものである。
【００６８】
（実施形態４）
本発明の一実施形態としての各回路構成は、図５に示す。
【００６９】
本実施形態は、外部の情報を検知する複数の検知ユニット（５）と、本複数検知ユニット（５）から出力される各検知信号を出力し、リモコン送信部（１１）の入力端子に入力するものである。前記各検知信号１は、それぞれの検知情報コード、もしくは各検知ユニット（５）にアドレスを設定するものである。次に、リモコン受光部（１）に入力された検知信号より、各検知信号に対応したリモコン信号をリモコン受光部（１）に送信するものである。前記リモコン信号には検知信号情報をコード化して送信するものである。そして、各リモコン信号の情報に合わせた（各検出ユニット（５）の情報を得て）調光信号を出力するリモコン受光部（１）と、各調光信号を入力し放電灯点灯回路（３）を制御する複数の制御回路（２）と、各制御信号により各放電灯ランプ（４）を点灯する放電灯点灯回路（３）からなるものである。そして、リモコン受光部（１）より、各制御回路（２）に制御信号を出力するものである。
【００７０】
なお、前記リモコン受光部（１）には、タイマー回路を設け、ある一定時間、任意の調光信号の出力を停止する機能を持つものである。
【００７１】
次に、図６により動作説明を行う。本回路動作は、基本的には図２に示す実施形態１の回路動作と同様である。
【００７２】
そして、時刻ｔ１で、複数ある検知ユニット（５）の中で検知ユニット１より図６のｂ）に示すごとき検知信号１が出力されると、リモコン送信部（１１）の入力端子により検知信号１が入力される。これにより、リモコン送信部（１１）からリモコン受光部（１）へ図６のｃ）に示すごときリモコン信号１が送信されるものである。このリモコン信号には検知ユニット１からの検知信号１の情報を保有しているものである。このリモコン受信部に入力したリモコン信号１により、予め設定された図６のｄ）に示すごとき調光信号１（１）を出力するものである。このとき、調光信号１のデューティーは、時刻ｔ１以前のデューティーに対して変化させるものである。これにより、ランプ１を図６のｂ）に示すごとき調光１点灯させるものである。
【００７３】
次に、時刻ｔ２より、ある一定の時刻になると、リモコン受光部（１）より図６のｄ）に示す調光信号を出力し、ランプ１を点灯するものである。
【００７４】
そして、時刻ｔ３で時刻ｔ１と同様の動作となる。これら一連の動作を繰り返し、時刻ｔ６において、検知ユニット１から検知信号がオフとなり、検知信号１のオフ信号がリモコン送信部（１１）に入力され、リモコン受信部に検知を終了したという信号を出力する。これより、リモコン受光部より出力する調光信号１（１）を出力し、ランプ１は図６のｅ）に示すごとき点灯状態に復帰するものである。
【００７５】
また、時刻ｔ１で、複数ある検知ユニットの中で検出ユニット２より図６のｂ）に示すごとき検知信号２が出力されるとリモコン送信部の入力端子により検知信号２が入力される。これにより、リモコン送信部からリモコン受光部へ図６のｃ）に示すごときリモコン信号２が送信される。このリモコン信号には検知ユニット２からの検知信号２の情報を保有している。このリモコン受信部に入力したリモコン信号２により、予め設定された図６のｉ）に示すごとき調光信号１（２）を出力するものである。このとき、調光信号１（２）のデューティーは、時刻ｔ１以前のデューティーに対して変化させ、また、調光信号１（１）とも異なる。これにより、ランプ１を図６のｊ）に示すごとき調光点灯させるものである。
【００７６】
次に、時刻ｔ２より、ある一定の時刻になると、リモコン受光部（１）より図６のｊ）に示す調光信号を出力し、ランプ１を点灯するものである。
【００７７】
時刻ｔ３で時刻ｔ１と同様の動作となる。これら一連の動作を繰り返し、時刻ｔ６において、検知ユニット２から検知信号がオフとなり、検知信号２のオフ信号がリモコン送信部（１１）に入力され、リモコン受信部に検知を終了したという信号を出力するものである。これにより、リモコン受光部（１）より調光信号１（２）を出力し、ランプ１は図６のｅ）に示すごとき点灯状態に復帰するものである。
【００７８】
これらの動作より、各検知ユニット（５）が情報を検知する期間、ランプ１は点灯、調光１もしくは調光２状態を繰り返すが、ランプ２は点灯し続けているために、照明器具全体では、図６のｈ）に示すように、全灯、調光状態１もしくは２の繰り返し制御となっているものである。
【００７９】
これらの回路動作により、複数の検知ユニット（５）による情報を検知し、この検知ユニット（５）の情報を伝達可能な照明器具を有する使用者は、十分な照度を保ちつつ、その検知情報の種類を光の調光状態により感知、判断することを可能とするものである。
【００８０】
また、本実施形態における検知ユニット（５）は、人の有無を検知して検知信号を出力する人感センサ、訪問者が来たことを知らせるユニット、ある一定の熱量以上になると検知して検知信号を出力する熱感センサ、所定時刻に到達したことを検知して検知信号を出力するタイマ装置、電話がかかってきたことを検知するユニット、防犯情報を検する防犯ユニットである。
【００８１】
各検知ユニット（５）より検知信号を出力する端子を設け、その端子よりリモコン送信部の入力端子に接続し、検知信号をリモコン送信部（１１）に出力することを可能とする検知ユニット（５）である。
【００８２】
（実施形態５）
本発明の一実施形態としての各回路構成は、図５に示すように実施形態４と同様であるため、各回路構成の説明は省略する。
【００８３】
次に、図６と図７により動作説明を行う。本回路動作は、基本的には、実施形態４の回路動作と同様であり、異なるところを中心として説明する。
【００８４】
複数ある検知ユニット（５）の中で検出ユニット１より検知信号１により、時刻ｔ１〜ｔ２において、ランプ１を調光動作し、ランプ２〜ｎは点灯状態とする。そして、時刻ｔ２〜ｔ３において、ランプ１〜ｎの全てのランプを点灯状態とする。これらの一連の動作を検知信号がオフする時刻ｔ６まで繰り返し動作するものである。
【００８５】
照明器具全体としては、検知信号１の検知期間、全灯状態と調光状態１の繰り返し動作を行っているものである。
【００８６】
次に、検知ユニット２が検知信号を出力する時の動作説明を行う。
【００８７】
時刻ｔ１〜ｔ２において、検知ユニット２より検知信号２をがリモコン送信部（１１）に入力されると、図７のａ）に示すように調光信号１，２のデューティーを変化させ、ランプ１、２を調光動作し、ランプ３〜ｎは点灯状態とするものである。そして、時刻ｔ２〜ｔ３において、ランプ１〜ｎの全てのランプを点灯状態とする。これらの一連の動作を検知信号がオフする時刻ｔ６まで繰り返し動作するものである。。
【００８８】
よって、照明器具全体としては、図７のｃ）に示すように検知信号２の検知期間、全灯状態と調光状態２の繰り返し動作を行っているものである。
【００８９】
これらの回路動作により、複数の検知ユニット（５）による情報を検知し、この検知ユニット（５）の情報を伝達可能な照明器具を有する使用者は、十分な照度を保ちつつ、その検知情報の種類を光の調光状態、調光しているランプの位置、数により感知、判断することを可能とするものである。
【００９０】
（実施形態６）
本発明の一実施形態としての各回路構成は、図５に示すように実施形態４と同様であるため、各回路構成の説明は省略する。
【００９１】
次に、図６と図８により動作説明を行う。本回路動作は、基本的には、実施形態４の回路動作と同様であり、異なるところを中心として説明する。
【００９２】
複数ある検知ユニット（５）の中で検知ユニット１より検知信号１により、時刻ｔ１〜ｔ２において、ランプ１を調光動作し、ランプ２〜ｎは点灯状態とする。そして、時刻ｔ２〜ｔ３において、ランプ１〜ｎの全てのランプを点灯状態とする。図６のｈ）、図８のａ）に示すとおり、これら一連の動作を検知信号がオフする時刻ｔ６まで繰り返し動作するものである。
【００９３】
照明器具全体としては、検知信号１の検知期間、全灯状態と調光状態１の繰り返し動作を行っているものである。
【００９４】
次に、検知ユニット２が検知信号を出力する時の動作説明を行う。この動作は、上記検知ユニット１が検知したときの動作と同様である。しかしながら、図８のａ）およびｂ）に示すように、ランプ１の点灯、調光状態の周期を異ならせるものである。
【００９５】
これらの回路動作により、複数の検知ユニット（５）による情報を検知し、この検知ユニット（５）の情報を伝達可能な照明器具を有する使用者は、十分な照度を保ちつつ、その検知情報の種類をランプの点灯、調光の周期により判断することを可能とするものである。
【００９６】
（実施形態７）
本発明の一実施形態としての各回路構成は、図５に示すように実施形態４と同様であるため、各回路構成の説明は省略する。
【００９７】
本回路動作は、基本的には、実施形態４の回路動作と同様であり、異なるところを中心として説明する。
【００９８】
複数ある検知ユニット（５）の中で検知ユニット１より検知信号１により、少なくとも一つ以上のランプを調光、点灯の繰り返し動作を行うものである。
【００９９】
このとき、検知ユニット（５）別に、点灯、調光動作の繰り返し回数を設定することにより、複数の検知ユニット（５）による情報を検知し、この検知ユニットの情報を伝達可能な照明器具を有する使用者は、十分な照度を保ちつつ、その検知情報の種類をランプの点灯、調光の周期により判断することを可能とするものである。
【０１００】
（実施形態８）
本発明の一実施形態としての各回路構成は、図５に示すように実施形態４と同様であるため、各回路構成の説明は省略する。本実施形態において、複数の色温度が異なるランプを具備するものである。本実施形態の基本的な動作は、実施形態４と同様であり、図６と図９により簡単に説明する。
【０１０１】
複数ある検知ユニット（５）の中で検出ユニット１より検知信号１により、時刻ｔ１〜ｔ２において、例えば、白色のランプ１を調光動作し、ランプ２〜ｎは点灯状態とする。そして、時刻ｔ２〜ｔ３において、ランプ１〜ｎの全てのランプを点灯状態とする。図６のｈ）および図９のａ）に示すとおり、これら一連の動作を検知信号がオフする時刻ｔ６まで繰り返し動作するものである。
【０１０２】
照明器具全体としては、検知信号１の検知期間、全灯状態と調光状態１の繰り返し動作を行っているものである。
【０１０３】
次に、検知ユニット２が検知信号を出力する時の動作説明を行う。この動作は、上記検知ユニット１が検知したときの動作と同様である。しかしながら、図９ａ）およびｂ）に示すように、電球色のランプ２を点灯、調光動作を繰り返すものである。
【０１０４】
これらの回路動作により、複数の検知ユニット（５）による情報を検知し、この検知ユニット（５）の情報を伝達可能な照明器具を有する使用者は、十分な照度を保ちつつ、その検知情報の種類を点灯、調光するランプの色温度により判断することを可能とするものである。
【０１０５】
（実施形態９）
本発明の一実施形態としての各回路構成は、図５に示すように実施形態４と同様であるため、各回路構成の説明は省略する。本実施形態において、複数のランプ出力が異なるランプを具備するものである。本実施形態の基本的な動作は、実施形態４と同様である。
【０１０６】
複数ある検知ユニット（５）の中で各検出ユニット（５）の検知信号により、調光、点灯の繰り返し点灯するランプ出力を異ならせるように設定するものである。これらの回路動作により、複数の検知ユニット（５）による情報を検知し、この検知ユニット（５）の情報を伝達可能な照明器具を有する使用者は、十分な照度を保ちつつ、その検知情報の種類を点灯、調光するランプ出力により判断することを可能とするものである。
【０１０７】
（実施形態１０）
実施形態１〜８において、調光、点灯の繰り返し点灯するランプを、器具の中心より外側に位置するランプで行うことにより、検知信号により、調光、点灯の繰り返すモードにおいて、照明器具下の使用者には、十分な照度を保ちつつ、その検知情報を得ることを可能とするものである。
【０１０８】
（実施形態１１）
本発明の一実施形態としての各回路構成は、図５に示すように実施形態４と同様であるため、各回路構成の説明は省略する。なお、前記リモコン受信部に、人間工学的に入眠、リラックスなどを可能とする照明制御プログラム信号データを有しており、各制御回路（２）により照明器具の光出力を制御するものである。
【０１０９】
図１０により、本実施形態の動作を説明する。図１０の時刻ｔ１までの期間は、前記入眠、リラックスを促す照明ソフト動作である。時刻ｔ１の期間まで、照明器具に具備されている複数灯のランプのうち、任意のランプを使用して前記照明ソフトに連動した照度を出力するものである。
【０１１０】
時刻ｔ１にて、検知ユニット（５）により検知信号が検出されると、リモコン送信部（１１）、リモコン受光部（１）を介して、全灯点灯することにより、強制的に使用者を目ざますことにより、この検知ユニット（５）の情報の伝達を可能とするものである。
【０１１１】
さらに、時刻ｔ２にて、各検知ユニット（５）に関する機器本来のお知らせ機能、例えば、電話のベル、訪問者が来たことを知らせるベルなどを動作させれば、より一層有効な動作とすることができるものである。
【０１１２】
（実施形態１２）
本発明の一実施形態としての各回路構成は、図５に示すように実施形態４と同様であるため、各回路構成の説明は省略する。なお、前記リモコン受信部に、人間工学的に入眠、リラックスなどを可能とする照明制御プログラム信号データを有しており、各制御回路（２）により照明器具の光出力を制御するものである。
【０１１３】
図１１により、本実施形態の動作を説明する。図１１の時刻ｔ１までの期間に、前記入眠、リラックスを促す照明ソフト動作である。時刻ｔ１の期間まで、照明器具に具備されている複数灯のランプのうち、任意のランプを使用して前記照明ソフトに連動した照度を出力するものである。
【０１１４】
時刻ｔ１にて、複数の検知ユニット（５）により、より緊急度の高い検知ユニット（５）である防犯検知ユニットなどにおいては、全灯点灯へ照度を移行することにより、使用者に検知情報を提供するものである。また、電話、来客などの比較的緊急度の低いものに対しては、使用者に与える照度を低くして、不快感を低減することを可能とするものである。
【０１１５】
（実施形態１３）
本発明の一実施形態としての各回路構成は、図５に示すように実施形態４と同様であるため、各回路構成の説明は省略する。なお、前記リモコン受信部に、人間工学的に入眠、リラックスなどを可能とする照明制御プログラム信号データを有しており、各制御回路（２）により照明器具の光出力を制御するものである。
【０１１６】
図１２により、本実施形態の動作を説明する。図１２の時刻ｔ１までの期間は、前記入眠、リラックスを促す照明ソフト動作である。時刻ｔ１の期間まで、照明器具に具備されている複数灯のランプのうち、任意のランプを使用して前記照明ソフトに連動した照度を出力するものである。
【０１１７】
時刻ｔ１にて、複数の検知ユニット（５）により、より緊急度の高い検知ユニット（５）である防犯検知ユニットなどにおいては、すぐに全灯点灯へ照度を移行することにより、使用者に検知情報を提供するものである。また、電話、来客などの比較的緊急度の低いものに対しては、ある程度時間を要して照度を上げていくことにより、使用者に与える不快感を低減することを可能とするものである。
【０１１８】
【発明の効果】
本発明の請求項１に係る照明装置によると、検知ユニットより検知した情報をもとに使用者が使用している複数灯用照明器具の放電灯ランプのうち、少なくとも一つの放電灯ランプの光出力変化させることにより、照明器具全体として光出力を変化させ、使用者に必要な照度を与えつつ、検知情報を使用者に知らせるものである。
【０１１９】
本発明の請求項２に係る照明装置によると、請求項１記載の場合に加えて、検知ユニットより検知した情報をもとにユーザーが使用している複数灯用照明器具の放電灯ランプのうち、少なくとも一つの放電灯ランプの光出力を明滅の繰り返し動作をさせ、器具全体として点灯、調光動作にさせることにより、使用者に必要な照度を確実に与えつつ、検知情報を使用者に確実に知らせるものである。
【０１２０】
本発明の請求項３に係る照明装置によると、請求項１記載の場合に加えて、検知ユニットより検知した情報をもとに使用者が使用している複数灯用照明器具の放電灯ランプのうち、少なくとも一つの放電灯ランプの光出力を点灯、調光の繰り返し動作をさせ、器具全体として点灯、調光動作にさせることにより、使用者に必要な照度を確実に与えつつ、検知情報を使用者に確実に知らせるものである。そして、放電灯は、点灯、調光の繰り返し動作であるため、ランプに対するストレスを低減可能とするものである。
【０１２１】
本発明の請求項４に係る照明装置によると、請求項１記載の場合に加えて、検知ユニットより検知した情報をもとに使用者が使用している複数灯用照明器具の全放電灯ランプの光出力を点灯、調光の繰り返し動作をさせ、器具全体として点灯、調光動作にさせることにより、使用者に必要な照度を確実に与えつつ、検知情報を使用者に確実に知らせるものである。調光レベルは全体的低くすることは容易であり、使用者にとって点灯、調光の繰り返し操作を容易に認識可能とするものである。
【０１２２】
本発明の請求項５に係る照明装置によると、請求項１記載の場合に加えて、複数の検知ユニットによる情報を、ランプの点灯、調光モードを繰り返し行う照明装置において、調光時の調光レベルを切り替えることにより、一つの照明器具で使用者に検出した情報を特定することを可能とするものである。
【０１２３】
本発明の請求項６に係る照明装置によると、請求項５記載の場合に加えて、複数の検知ユニットによる情報を、ランプの点灯、調光モードを繰り返し行う照明装置において、調光動作させる点灯回路の数を変化させることにより、使用者は調光レベル及び、点灯、調光モードを行っているランプの位置により、情報の種類の特定でき、より一層情報の確定をしやすくすることを可能とするものである。
【０１２４】
本発明の請求項７に係る照明装置によると、請求項５記載の場合に加えて、複数の検知ユニットによる情報を、ランプの点灯、調光モードを繰り返し行う照明装置において、ランプ点灯、調光の繰り返し周期を変化させることにより、使用者に検出した情報の特定を可能とするものである。
【０１２５】
本発明の請求項８に係る照明装置によると、請求項５記載の場合に加えて、複数の検知ユニットによる情報を、ランプの点灯、調光モードを繰り返し行う照明装置において、ランプ点灯、調光の繰り返し回数を変化させることにより、使用者に検出した情報の特定を可能とするものである。
【０１２６】
本発明の請求項９に係る照明装置によると、請求項５記載の場合に加えて、複数の検知ユニットによる情報を、色温度の異なる複数のランプを有する照明装置において、各検知信号により、各々の検知信号から色温度の異なるランプの点灯、調光モードを繰り返し行うことにより、使用者に検出した情報を特定可能とするものである。
【０１２７】
本発明の請求項１０に係る照明装置によると、請求項５記載の場合に加えて、ランプ出力定格の異なる複数のランプを有する照明装置において、各検知ユニットにより出力される複数の検知信号により、各々の検知信号からランプ出力の異なるランプの点灯、調光モードを繰り返し行うことにより、使用者に検出した情報を特定可能とするものである。
【０１２８】
本発明の請求項１１に係る照明装置によると、請求項１ないし請求項１０いずれか記載の場合に加えて、検知信号によって点灯、調光モードを繰り返し行うランプを器具中心より外側のランプを使用することにより、照明器具の下側にいる使用者周辺の照度の確保を可能とするものである。
【０１２９】
本発明の請求項１２に係る照明装置によると、請求項１ないし請求項１０いずれか記載の場合に加えて、人間工学的に快起、入眠、リラックスなどを可能とする照明制御プログラム信号データにより照明器具の光出力を制御している期間、検知ユニットからの信号が入力された場合に、優先的に光出力を変化させることにより、情報を優先的に使用者に提供することを可能とするものである。
【０１３０】
本発明の請求項１３ないし請求項１８に係る照明装置によると、請求項１ないし請求項１２いずれか記載の場合に加えて、使用者に必要な照度をより一層確実に与えつつ、検知情報を使用者により一層確実に知らせるものである。
【図面の簡単な説明】
【図１】本発明の実施形態１に係る照明装置のシステム構成図である。
【図２】本発明の実施形態１に係る照明装置のシステム制御動作例である。
【図３】本発明の実施形態２に係る照明装置のシステム制御動作例である。
【図４】本発明の実施形態３に係る照明装置のシステム制御動作例である。
【図５】本発明の実施形態４に係る照明装置のシステム構成図である。
【図６】本発明の実施形態４に係る照明装置のシステム制御動作例である。
【図７】本発明の実施形態５に係る照明装置のシステム制御動作例である。
【図８】本発明の実施形態６に係る照明装置のシステム制御動作例である。
【図９】本発明の実施形態７に係る照明装置のシステム制御動作例である。
【図１０】本発明の実施形態１０に係る照明装置のシステム制御動作例である。
【図１１】本発明の実施形態１１に係る照明装置のシステム制御動作例である。
【図１２】本発明の実施形態１２に係る照明装置のシステム制御動作例である。
【図１３】本発明の従来例に係る照明装置のシステム構成図である。
【図１４】本発明の従来例に係る照明装置のシステム制御動作例である。
【符号の説明】
１　　リモコン受光部
２　　制御回路
３　　放電灯点灯回路
４　　放電灯ランプ
５　　検知ユニット
１１　リモコン送信部
【図１】
2004103424.tif 000003
【図２】
2004103424.tif 000004
【図３】
2004103424.tif 000005
【図４】
2004103424.tif 000006
【図５】
2004103424.tif 000007
【図６】
2004103424.tif 000008
【図７】
2004103424.tif 000009
【図８】
2004103424.tif 000010
【図９】
2004103424.tif 000011
【図１０】
2004103424.tif 000012
【図１１】
2004103424.tif 000013
【図１２】
2004103424.tif 000014
【図１３】
2004103424.tif 000015
【図１４】
2004103424.tif 000016